(57)【要約】【課題】上皿と下皿とが共に開閉扉上に設けられているにも拘わらず、上皿満杯時に開閉扉を開いたときに内枠側からの遊技球のこぼれ落ちを防止できる遊技機を提供する。【解決手段】払い出し装置３６が設けられた内枠と、この内枠の前側の開閉扉１０上に設けられた上皿１３及び下皿と、内枠側の払い出し装置の下流側に設けられた払い出し案内通路５２と、開閉扉１０上に設けられ且つ払い出し案内通路５２からの遊技球を受けて上皿１３に排出する上皿排出通路６８とを備え、開閉扉１０が閉じたとき、上皿排出通路６８の上流端側が払い出し案内通路５２の下流端側に連通するように構成された遊技機で、払い出し案内通路５２上で分岐した余剰球を下皿に案内する下皿案内通路９２と、開閉扉１０が開かれたときに払い出し案内通路５２から流出する遊技球を捕捉して下皿案内通路９２に案内する残留球受け部９５とを開閉扉１０上に設けたものである。【選択図】図１７
2010273705.tif 000002
【特許請求の範囲】
【請求項１】
遊技球を払い出す払い出し装置（３６）が設けられた内枠（４）と、該内枠（４）の前側に開閉自在に装着された開閉扉（１０）と、該開閉扉（１０）上に設けられ且つ前記払い出し装置（３６）から払い出された遊技球を貯留する上皿（１３）と、該上皿（１３）と共に前記開閉扉（１０）上に設けられ且つ前記上皿（１３）が満杯となったときにその余剰球を受ける下皿（１４）と、前記内枠（４）側に設けられ且つ前記払い出し装置（３６）から払い出された遊技球を前記開閉扉（１０）の後側まで案内する払い出し案内通路（５２）と、前記開閉扉（１０）上に設けられ且つ前記払い出し案内通路（５２）により案内されてきた遊技球を受けて前記上皿（１３）に排出する上皿排出通路（６８）とを備え、前記開閉扉（１０）が閉じたとき、前記上皿排出通路（６８）の上流端側が前記払い出し案内通路（５２）の下流端側に連通するように構成された遊技機において、前記払い出し案内通路（５２）上の所定の分岐位置で前記余剰球を分岐させるように構成され、その余剰球を前記下皿（１４）に案内する下皿案内通路（９２）と、前記開閉扉（１０）が開かれて前記上皿排出通路（６８）と前記払い出し案内通路（５２）とが前後に切り離されたときに前記払い出し案内通路（５２）から流出する遊技球を捕捉可能に設けられ且つその下流側が前記下皿案内通路（９２）に接続された残留球受け部（９５）とを前記開閉扉（１０）上に設けたことを特徴とする遊技機。
【請求項２】
前記残留球受け部（９５）は、前記上皿排出通路（６８）の下側に配置され、前記上皿排出通路（６８）の後端位置よりも後側まで延設されていることを特徴とする請求項１に記載の遊技機。
【請求項３】
前記下皿案内通路（９２）の上流端側に設けられ且つ前記残留球受け部（９５）を有する球受け皿（９１）と、前記下皿案内通路（９２）上に設けられ且つそれよりも下流側が前記遊技球で満杯であることを検出する下皿満杯検出スイッチ（１０７）とを備え、前記下皿満杯検出スイッチ（１０７）よりも上流側における前記球受け皿（９１）の遊技球容量が、前記払い出し案内通路（５２）における前記分岐位置よりも下流側の遊技球容量と略同じかそれよりも大となるように構成されていることを特徴とする請求項１又は２に記載の遊技機。
【請求項４】
前記分岐位置において前記払い出し案内通路（５２）から分岐する余剰球分岐通路（５４）を前記内枠（４）側に設け、前記下皿案内通路（９２）の上流端側に、前記開閉扉（１０）が閉じたときに前記余剰球分岐通路（５４）の下流端側が連通する余剰球受け部（９４）を設け、該余剰球受け部（９４）が、前記余剰球分岐通路（５４）との連通位置の後方まで延設されていることを特徴とする請求項１〜３の何れかに記載の遊技機。
【請求項５】
前記余剰球受け部（９４）を前記球受け皿（９１）上に設けたことを特徴とする請求項４に記載の遊技機。
【請求項６】
前記上皿（１３）から供給される遊技球を遊技領域（６ａ）に向けて発射する発射手段（８）と、該発射手段（８）により発射されたにも関わらず前記遊技領域（６ａ）に到達することなく戻ってきたファール球のうちの少なくとも一部を前記下皿案内通路（９２）に案内するファール球案内部（９６）とを備え、該ファール球案内部（９６）を前記球受け皿（９１）上に設けたことを特徴とする請求項１〜５の何れかに記載の遊技機。
【発明の詳細な説明】
【技術分野】
【０００１】
本発明は、いわゆる上皿と下皿とを、内枠に対して開閉可能な開閉扉上に設けた遊技機に関するものである。
【背景技術】
【０００２】
遊技媒体として遊技球を用いる遊技機としては、遊技球を発射用にも用いる弾球遊技機、例えばパチンコ機が代表的であるが、その他にもメダルの代わりにパチンコ用の遊技球を用いるスロットマシン等も存在する。
【０００３】
これらの遊技機には、払い出し手段から払い出された遊技球を貯留する貯留皿が設けられているが、この貯留皿は機種によって一つしか設けられていない場合もあれば、払い出された遊技球を直接受ける上皿とその上皿が満杯となったときの余剰球を受ける下皿との二つ設けられている場合もある。
【０００４】
また、上皿と下皿の２つの貯留皿を備えた遊技機には、払い出し装置等が設けられた内枠に対して下皿は固定され、上皿のみが開閉扉上に設けられたもの（例えば特許文献１）と、上皿と下皿とが共通の開閉扉上に設けられたもの（例えば特許文献２）とがある。
【先行技術文献】
【特許文献】
【０００５】
【特許文献１】特開２００４−３２９９５８号公報
【特許文献２】特開２００９−０３４３７２号公報
【発明の概要】
【発明が解決しようとする課題】
【０００６】
ところで、このような上皿と下皿とを備えた遊技機において、上皿が満杯になるまでの遊技球貯留量を少しでも大きくしようとすると、余剰球の下皿への分岐位置をなるべく払い出し装置に近い上流側に配置する必要がある。この場合、上皿側がその分岐位置まで遊技球で満杯となったときには、内枠側の通路内にも遊技球が貯まった状態となるため、もしもその状態で開閉扉が開かれて上皿上流側の通路が分断されると、その内枠側の通路内に貯まっていた遊技球がこぼれ落ちてしまうという問題があった。
【０００７】
ここで、特許文献１に記載の発明のように下皿が内枠に固定されている遊技機であれば、内枠側に貯まっていた遊技球を内枠側で受けるように構成すればそのまま下皿に案内することができるが、特許文献２に記載の発明のように上皿と下皿とが共通の開閉扉上に設けられた遊技機の場合には、開閉扉が開かれると上皿だけでなく下皿も内枠から切り離されるため、内枠側に貯まっていた遊技球を内枠側で受けるように構成したとしても、その遊技球をそのまま下皿側に案内することができず、問題を解決することはできない。
【０００８】
本発明は上記事情に鑑みてなされたものであり、上皿と下皿とが共に開閉扉上に設けられているにも拘わらず、上皿満杯時に開閉扉を開いたときに内枠側からの遊技球のこぼれ落ちを防止できる遊技機を提供することを目的とする。
【課題を解決するための手段】
【０００９】
本発明は、遊技球を払い出す払い出し装置３６が設けられた内枠４と、該内枠４の前側に開閉自在に装着された開閉扉１０と、該開閉扉１０上に設けられ且つ前記払い出し装置３６から払い出された遊技球を貯留する上皿１３と、該上皿１３と共に前記開閉扉１０上に設けられ且つ前記上皿１３が満杯となったときにその余剰球を受ける下皿１４と、前記内枠４側に設けられ且つ前記払い出し装置３６から払い出された遊技球を前記開閉扉１０の後側まで案内する払い出し案内通路５２と、前記開閉扉１０上に設けられ且つ前記払い出し案内通路５２により案内されてきた遊技球を受けて前記上皿１３に排出する上皿排出通路６８とを備え、前記開閉扉１０が閉じたとき、前記上皿排出通路６８の上流端側が前記払い出し案内通路５２の下流端側に連通するように構成された遊技機において、前記払い出し案内通路５２上の所定の分岐位置で前記余剰球を分岐させるように構成され、その余剰球を前記下皿１４に案内する下皿案内通路９２と、前記開閉扉１０が開かれて前記上皿排出通路６８と前記払い出し案内通路５２とが前後に切り離されたときに前記払い出し案内通路５２から流出する遊技球を捕捉可能に設けられ且つその下流側が前記下皿案内通路９２に接続された残留球受け部９５とを前記開閉扉１０上に設けたものである。
【発明の効果】
【００１０】
本発明によれば、上皿１３と下皿１４とが共に開閉扉１０上に設けられているにも拘わらず、上皿１３が満杯の状態で開閉扉１０を開いたときに内枠４側からの遊技球のこぼれ落ちを防止できる。
【図面の簡単な説明】
【００１１】
【図１】本発明の一実施形態を示すパチンコ機の全体正面図である。
【図２】同じくガラス扉及び下部開閉扉を外した状態の正面図である。
【図３】同じく全体背面図である。
【図４】同じく分岐通路ユニットの斜視図である。
【図５】同じく分岐通路ユニットの破断斜視図である。
【図６】同じく下部開閉扉の斜視図である。
【図７】同じく下部開閉扉の分解斜視図である。
【図８】同じく下部開閉扉の平面図である。
【図９】同じく下部開閉扉の背面図である。
【図１０】同じく図８におけるＡ−Ａ断面図である。
【図１１】同じく図８におけるＢ−Ｂ断面図である。
【図１２】同じく図８におけるＣ−Ｃ断面図である。
【図１３】同じく図８におけるＤ−Ｄ断面図である。
【図１４】同じく図８におけるＥ−Ｅ断面図である。
【図１５】同じく図９におけるＦ−Ｆ断面図である。
【図１６】同じく図９におけるＧ−Ｇ断面図である。
【図１７】同じく図８におけるＡ−Ａ断面図において上皿満杯時に下部開閉扉を開放した状態を示す図である。
【発明を実施するための形態】
【００１２】
以下、本発明の実施形態を図面に基づいて詳述する。図１〜図１７は本発明をパチンコ機に採用した一実施形態を例示している。なお、以下の説明では上下左右の方向を示す場合には図１のように正面から見た場合の上下左右をいうものとする。
【００１３】
図１及び図２において、遊技機本体１は、矩形状の外枠２と、この外枠２の左右一側、例えば左側のヒンジ３を介して縦軸心廻りに開閉自在及び着脱自在に枢着された内枠４とを備えている。
【００１４】
内枠４には、その上部側に設けられた上部装着部５に遊技盤６が、その上部装着部５の下側に設けられた下部装着部７に発射手段８等が夫々配置されており、その内枠４の前側には、上部装着部５に対応するガラス扉９と、下部装着部７に対応する下部開閉扉（開閉扉）１０とがヒンジ３と同じ側のヒンジ１１により開閉自在及び着脱自在に枢着されている。ガラス扉９には、遊技盤６側の遊技領域６ａに対応するガラス窓１２が設けられ、また下部開閉扉１０には、払い出された遊技球を貯留すると共にその遊技球を発射手段８側に案内する上皿１３、この上皿１３が満杯となったときにその余剰球を受けて貯留する下皿１４、発射手段８を作動させるための発射ハンドル１５等が設けられている。
【００１５】
上部装着部５には、遊技盤６を装着するための遊技盤装着枠１６が設けられている。遊技盤６は、この遊技盤装着枠１６に対して例えば前側から装着され、１又は複数の固定具１６ａにより着脱自在に固定されており、その前面側には、図２に示すように発射手段８により発射された遊技球を遊技領域６ａの上部側に案内する外レール２１と、遊技領域６ａの周囲を規定する周壁の少なくとも一部を構成する内レール２２とが立設されると共に、遊技領域６ａ内には、その略中央に画像表示手段を備えたセンターケース２３が配置され、更にそのセンターケース２３の左側に通過ゲート２４が、下側に開閉式入賞手段２５及び大入賞手段２６が配置される他、普通入賞手段２７、風車２８等の各種遊技部品が装着されている。
【００１６】
外レール２１及び内レール２２は例えば金属板により構成されており、外レール２１は遊技盤６の下部側の左右方向略中央位置又はそれよりも若干左寄りの位置から遊技盤６の左端側及び上端側を経て右上部側まで略円弧状に配置され、内レール２２は遊技盤６の左上方から下部側の左右方向略中央まで外レール２１に並行するようにその内側に配設され、更にそのまま遊技盤６の右縁部近傍まで略円弧状に延設されている。
【００１７】
このように、内レール２２と外レール２１とは、遊技盤６の左側部分において、互いに所定距離をおいて内外に配設されており、その内レール２２と外レール２１とで挟まれた部分が、発射手段８により発射された遊技球を遊技領域６ａに案内する発射案内通路２９となっている。また、発射案内通路２９から遊技領域６ａへの出口付近には、遊技領域６ａ側から発射案内通路２９側への遊技球の戻りを防止するための球戻り防止手段２９ａが配置されている。
【００１８】
また、遊技盤６の裏面側には、図３に示すように、センターケース２３等の遊技部品を後側から覆う裏ケース３０ａと、その裏ケース３０ａの下側に配置される集球ケース３０ｂとが装着され、例えばその集球ケース３０ｂの背面側に主制御基板３１ａが格納された主基板ケース３１が、裏ケース３０ａの背面側に演出制御基板３２ａが格納された演出基板ケース３２、液晶制御基板３３ａが格納された液晶基板ケース３３等が着脱自在に装着されており、これらが内枠４の開口部４ａに前側から嵌合している。
【００１９】
内枠４の後側には、開口部４ａの後側を略覆う裏カバー３４が開閉自在に装着されると共に、開口部４ａの上側に遊技球タンク３５ａとタンクレール３５ｂとが、開口部４ａの左右一側、例えばヒンジ３側には払い出し装置３６と払い出し通路３７とが装着されており、遊技球が大入賞手段２６等の入賞口に入賞したとき、又は図外の自動球貸し機から球貸し指令があったときに、遊技球タンク３５ａ内の遊技球をタンクレール３５ｂを経て払い出し装置３６により払い出し、その遊技球を払い出し通路３７等を経て上皿１３に案内するようになっている。
【００２０】
また、開口部４ａの下側で且つ下部装着部７の背面側には、基板装着台３８が着脱自在に装着されており、この基板装着台３８の背面側に、例えば電源基板３９ａが格納された電源基板ケース３９と、払い出し制御基板４０ａが格納された払い出し基板ケース４０とが着脱自在に装着されている。
【００２１】
下部装着部７には、図２に示すように、その前側の例えば左右方向略中央に発射手段８が配置され、その発射手段８の左側には、払い出し装置３６の下流側に接続された分岐通路ユニット４１等が、右側にはスピーカ４２等が夫々配置されている。
【００２２】
発射手段８は、板金製の支持板４３と、この支持板４３の前面に装着された発射レール４４と、支持板４３の前面に装着され且つ発射用の遊技球を発射レール４４上の発射待機位置Ａに保持する球保持部４５と、支持板４３の前面で前後方向の駆動軸４６廻りに揺動自在に支持された打撃槌４７と、支持板４３の裏側に装着され且つ打撃槌４７を駆動軸４６を介して打撃方向に駆動するロータリソレノイド等の発射駆動手段４８等を備えている。
【００２３】
発射レール４４は、その発射方向前端部４４ａの近傍に発射待機位置Ａが設けられ、その発射方向前端部４４ａよりも発射方向後端部４４ｂが高い傾斜状に配置されており、その発射方向後端部４４ｂと外レール２１の発射方向前端部２１ａとの間には所定距離のレール欠落部４９が形成されている。
【００２４】
そしてこの発射手段８は、下部開閉扉１０側の発射ハンドル１５が操作されたときに発射駆動手段４８により打撃槌４７を打撃方向（時計廻り）に間欠的に駆動することにより、下部開閉扉１０側の上皿１３から発射レール４４上の発射待機位置Ａに供給された遊技球を発射レール４４に沿って打撃して発射させるようになっている。発射された遊技球は、十分に勢いがある場合にはレール欠落部４９を飛び越えて遊技盤６側の発射案内通路２９内に入り、球戻り防止手段２９ａを通過して遊技領域６ａ内に進入する。一方、発射時の勢いが不十分で遊技領域６ａまで到達できなかった遊技球（以下、ファール球という）は、例えば発射案内通路２９を逆走してレール欠落部４９に落下する。
【００２５】
なお、下部装着部７の前側には、発射手段８の上側において前側の下部開閉扉１０との隙間を閉鎖する閉鎖壁５０が左右方向に設けられており、この閉鎖壁５０における発射案内通路２９側端部には、発射経路の上側でファール球を受けて前向きに案内する上ファール球受け部５１が設けられている。
【００２６】
分岐通路ユニット４１は、図４及び図５に示すように、例えば略前後方向に配置された払い出し案内通路５２と、この払い出し案内通路５２上の所定位置、例えば後端部側に設けられた分岐口（分岐位置）５３で払い出し案内通路５２から分岐して例えば払い出し案内通路５２と略平行に略前後方向に配置される余剰球分岐通路５４とを例えば一体に備え、内枠４側に着脱自在に固定されている。
【００２７】
払い出し案内通路５２は、その後端側の払い出し流入口５５が例えば後ろ向きに、前端側の払い出し流出口５６が例えば前向きに夫々開口する例えば断面略矩形状に形成され、前下がりの傾斜状に配置されており、後端側の払い出し流入口５５が払い出し通路３７の下流端側に接続されている。
【００２８】
分岐口５３は、払い出し案内通路５２の後端部における一方の側壁、例えば左側壁に設けられており、余剰球分岐通路５４はその分岐口５３から例えば左斜め前方に分岐し、払い出し案内通路５２に沿って前下がりの傾斜状に配置されている。なお、余剰球分岐通路５４の底壁５４ａは、例えば払い出し案内通路５２の底壁５２ａよりも一段下がった位置に形成されている。また、余剰球分岐通路５４の前端側、即ち下流端側には、余剰球流出口５７が例えば下向き開口状に設けられている。
【００２９】
これにより、払い出し通路３７から払い出され、払い出し流入口５５から払い出し案内通路５２内に流入した遊技球は、通常はそのまま払い出し案内通路５２内を前向きに流下して払い出し流出口５６から前向きに流出するが、下流側から払い出し案内通路５２内に貯まってきた遊技球が分岐口５３まで到達すると、図１５に示すようにそれ以降に払い出された遊技球は分岐口５３から余剰球分岐通路５４側に流入し、余剰球流出口５７から下向きに流出する。
【００３０】
下部開閉扉１０は、図６〜図９等に示すように、下部装着部７の前側に略平行に配置される台板６１と、この台板６１の前側上部に配置される上皿１３と、この上皿１３の下側に配置される下皿１４と、これら上皿１３及び下皿１４を含む台板６１の略全体を前側から覆う化粧カバー６２と、下皿１４の右側で化粧カバー６２の前側に突設される発射ハンドル１５と、台板６１の裏側に着脱自在に装着される球送り手段６３及び下皿通路ユニット６４とを備えている。
【００３１】
台板６１は、例えば合成樹脂により下部装着部７を略覆う横長矩形状に形成されており、上皿払い出し口６５（図８，図１２等）、球送り排出口６６、下皿連通口６７等が前後方向の貫通状に形成されている他、スピーカ４２の前側に対応する放音孔６８ａ，６８ｂ等が設けられている。
【００３２】
上皿払い出し口６５は、上皿１３の左右方向一端側、例えば左端側に対応して台板６１の左上部に例えば矩形状に形成され、その後側には例えばその全周に沿って後ろ向きに突出する上皿排出通路６８が一体に設けられている。この上皿排出通路６８は、下部開閉扉１０が内枠４側に閉じられた状態のときには内枠４側の分岐通路ユニット４１の払い出し流出口５６に前側から連通し（図１２）、払い出し案内通路５２内を流下してきた遊技球を前向きに案内して上皿払い出し口６５から上皿１３内に流入させる一方、下部開閉扉１０が開かれた状態のときには分岐通路ユニット４１の前側に離間して払い出し流出口５６から切り離されるようになっている（図１７）。
【００３３】
なお、台板６１の裏側には、上皿払い出し口６５及び上皿排出通路６８、球送り排出口６６、下皿連通口６７、放音孔６８ａ，６８ｂ等を除く略全体を覆うように板金製のあて板６９が着脱自在に装着されている。
【００３４】
上皿１３は、上皿払い出し口６５が設けられている左右方向の一端側、例えば左端側から他端側、例えば右端側に向けて緩やかに下る傾斜状に形成され、上皿払い出し口６５から払い出された遊技球を右側に案内しつつ貯留するように構成されており、その下流側には、遊技球を台板６１側の球送り排出口６６に向けて一列状に流下させる球送り通路７１が設けられている。なお、球送り通路７１は、図７に示すように台板６１の前側に沿って例えば左下がりの傾斜状に配置され、その下流端側が球送り排出口６６に前側から連通している。
【００３５】
球送り通路７１の下流側端部近傍、即ち球送り排出口６６の手前には、上皿球抜き開閉板７２によって開閉可能な上皿球抜き口７３が例えばその底壁上に設けられ、その上皿球抜き口７３の下流側に上皿球抜き通路７４が接続されている。上皿球抜き開閉板７２は、例えば上皿１３の近傍に設けられた上皿球抜き操作部７５の操作に連動して上皿球抜き口７３を開閉するように構成されており、通常時は上皿球抜き口７３を閉鎖して球送り通路７１内の遊技球を球送り排出口６６側に案内し、上皿球抜き操作部７５が例えば押圧操作されたとき、所定の連動手段７６を介して開方向に移動することにより上皿球抜き口７３を開放し、それよりも上流側の遊技球を上皿球抜き通路７４側に流下させるようになっている。
【００３６】
下皿１４は、図１，図１４，図１６等に示すように、例えば左右方向の中央よりも左寄りの位置に配置されており、その上側の上皿１３との間は例えば左側から前側にかけて開放され、右側は化粧カバー６２の一部により閉鎖されている。下皿１４内には、図１６に示すように、下皿球抜き開閉板７７によって開閉可能な下皿球抜き口７８がその底壁１４ａ上の所定位置に設けられている。下皿球抜き開閉板７７は、例えば下皿１４の前側に設けられた下皿球抜き操作部７９の操作に連動して下皿球抜き口７８を開閉するように構成されており、通常時は下皿球抜き口７８を閉鎖し、下皿球抜き操作部７９が例えばスライド操作されたとき、図示しない連動手段を介して開方向に移動することにより下皿球抜き口７８を開放し、下皿１４内の遊技球をその下側に載置されたいわゆるドル箱等に落下させるようになっている。
【００３７】
下皿１４の後側は、例えば台板６１の前側に例えば遊技球１個分よりも若干大きい距離を隔てて略平行に配置された下皿背壁８１により規制されており、この下皿背壁８１上に下皿排出口８２が設けられている。下皿排出口８２は、例えば下皿１４の右端側で且つ底壁１４ａよりも上側の位置に例えば矩形状に形成されており、その後側には例えばその外周に沿って後ろ向きに突出する下皿排出通路８３が一体に設けられ、その下皿排出通路８３の後端側が台板６１の下皿連通口６７に連通している。
【００３８】
また、上皿球抜き通路７４は、台板６１と下皿背壁８１との間に配置されており、その下流端側が下皿排出通路８３に対して例えばその左右方向一方側、例えば右側から連通している。
【００３９】
上皿１３、下皿１４等の前側を覆う化粧カバー６２上には、その内部に配置されるＬＥＤ等の発光素子によって発光する発光レンズ８４、その他の装飾が施されると共に、遊技者による操作性に配慮して、例えば上皿１３の前側に演出操作部８５が、上皿１３の上部右側に貸し球操作部８６及び上皿球抜き操作部７５が、下皿１４の前側に下皿球抜き操作部７９が夫々配置されている。
【００４０】
球送り手段６３は、球送り通路７１側から球送り排出口６６を経て案内されてきた遊技球を、発射手段８の発射動作と同期して発射レール４４上に一個ずつ供給するためのもので、球送り排出口６６に対応して台板６１の後側に着脱自在に装着されており、図９〜図１１等に示すように、球送りケース８７と、この球送りケース８７内に揺動自在に配置された球送り部材８８と、この球送り部材８８を揺動駆動する球送り駆動手段８９とを備えている。
【００４１】
球送りケース８７は、前後方向幅が例えば遊技球１個分よりも若干大きい箱形に形成されており、その前面側に球送り排出口６６に対応する流入口８７ａが、背面側で且つ流入口８７ａよりも低い位置に発射レール４４上に対応する供給口８７ｂが夫々配置されている。球送り部材８８は、球送りケース８７内に前後方向の枢軸８８ａ廻りに揺動自在に支持されており、球送り駆動手段８９の駆動により、流入口８７ａから１個の遊技球を球送りケース８７内に受け入れる受入位置と、流入口８７ａからの後続の遊技球の流入を阻止しつつ、先に受け入れた遊技球を供給口８７ｂから前側に流出させる流出位置との間で切り換え可能となっている。
【００４２】
球送り駆動手段８９は、例えば電磁ソレノイドにより構成されており、発射手段８による一回の発射動作に対して球送り部材８８を流出位置と受入位置との間で一往復させるように制御される。これにより、上皿１３側の遊技球が、発射手段８の一回の発射に対して一個ずつ発射レール４４上に供給される。なお、球送りケース８７の背面側には、供給口８７ｂの上側で遊技球の発射経路を閉鎖する第１上部規制壁９０が後ろ向き突出状に例えば一体形成されている。
【００４３】
下皿通路ユニット６４は、上皿１３側の余剰球及びファール球を下皿１４側に案内するためのもので、上皿排出通路６８及び下皿連通口６７に対応して台板６１の後側に着脱自在に装着されており、図７〜図１３等に示すように、球受け皿９１と、この球受け皿９１で受けた遊技球を下皿１４側に案内する下皿案内通路９２と、発射経路の下側でファール球を受けて下皿１４側に案内するファール球返却通路９３とを備えている。
【００４４】
球受け皿９１は、図７，図８等に示すように、余剰球分岐通路５４から遊技球（余剰球）を受けて下皿案内通路９２側に案内する余剰球受け部９４と、下部開閉扉１０が前側に開かれて上皿排出通路６８と払い出し案内通路５２とが前後に切り離されたときに払い出し案内通路５２内の残留球を受けて下皿案内通路９２側に案内する残留球受け部９５と、上ファール球受け部５１で受けたファール球を下皿案内通路９２側に案内する上ファール球案内部（ファール球案内部）９６とを一体に備え、台板６１の背面に沿って上皿排出通路６８の下側に配置されている。
【００４５】
余剰球受け部９４は、図８，図１０，図１３等に示すように、余剰球分岐通路５４側の余剰球流出口５７の下側に対応して設けられている。球受け皿９１上には、下皿案内通路９２への流入口９７が例えばこの余剰球受け部９４の前側に台板６１に沿って設けられており、余剰球受け部９４は余剰球流出口５７から落下してきた遊技球を受けてこの流入口９７側に遊技球を案内するように前下がりの傾斜状に形成されている。
【００４６】
なお、この余剰球受け部９４は、余剰球流出口５７の真下（連通位置）だけでなくその後方まで延設されており（図１３）、例えば余剰球受け部９４内を遊技球が流下しているときに下部開閉扉１０が開かれ、球受け皿９１が前側に若干移動した場合でも余剰球流出口５７から落下する遊技球を捕捉可能となっている。
【００４７】
残留球受け部９５は、図８，図１０，図１２等に示すように、上皿排出通路６８の下側に前後方向に配置され、その後部側は、上皿排出通路６８と払い出し案内通路５２との連通位置の後方所定範囲までをカバーするように、上皿排出通路６８の後端位置よりも後側まで延設されており、上皿１３が満杯のときに下部開閉扉１０が開かれ、上皿排出通路６８と払い出し案内通路５２とが前後に切り離されたときに払い出し案内通路５２から落下してくる遊技球を捕捉可能となっている（図１７）。なお、残留球受け部９５は、払い出し案内通路５２から受けた遊技球を隣接する余剰球受け部９４を経て、又は直接流入口９７に流入させるように例えば左下がりの傾斜状に形成されている。
【００４８】
上ファール球案内部９６は、図８，図１０，図１４等に示すように、例えば上ファール球受け部５１の前側と残留球受け部９５とを接続するように台板６１の背面に沿って配置され、残留球受け部９５側が低い傾斜状に形成されており、上ファール球受け部５１（図２，図１４）で受けたファール球を残留球受け部９５を経て流入口９７に流入させるように例えば左下がりの傾斜状に形成されている。
【００４９】
下皿案内通路９２は、図１１〜図１４，図１６等に示すように、球受け皿９１側の流入口９７と台板６１の下皿連通口６７とを接続するように例えば台板６１の背面に沿って配置され、流入口９７から略下向きに配置される縦通路部１０１と、この縦通路部１０１の下端側から下皿連通口６７側に向けて例えば右下がりの傾斜状に配置される傾斜通路部１０２と、この傾斜通路部１０２の下流端側と下皿連通口６７とを前後方向に連結する前案内部１０３とを備えており、流入口９７から下皿案内通路９２内に流入した遊技球は縦通路部１０１、傾斜通路部１０２、前案内部１０３を経て下皿連通口６７から台板６１の前側に案内され、更に下皿排出通路８３を経て下皿排出口８２から下皿１４に排出されるようになっている。
【００５０】
前案内部１０３は、図１１に示すように左右方向一方側（ここでは左側）に傾斜通路部１０２からの余剰球流入口１０４とファール球返却通路９３からのファール球流入口１０５とが例えば上下に配置され、またそれら余剰球流入口１０４及びファール球流入口１０５に対向する側壁（ここでは右側壁）は、傾斜通路部１０２等から流下してきた遊技球を衝突させてその勢いを止める規制壁１０６となっており、更にその底壁１０３ａは前下がりの傾斜状に形成されている。
【００５１】
ここで、規制壁１０６は、図１６等に示すように、その前側の下皿排出口８２の左右の縁部よりも下皿排出口８２に対する左右方向外側、即ち下皿排出口８２の右縁部よりも右側にずれた位置に配置されている。これにより、前案内部１０３内における規制壁１０６側の一部が、その前側の上皿球抜き通路７４の下流端側と前後に連通している。
【００５２】
また、下皿案内通路９２上には、例えば縦通路部１０１上に下皿満杯検出スイッチ１０７が設けられている。この下皿満杯検出スイッチ１０７は、それよりも下流側、即ち下皿１４側が遊技球で満杯であることを検出するもので、図１１〜図１３に示すように、縦通路部１０１上における傾斜通路部１０２とは反対側の側壁１０１ａ上に、例えばその側壁１０１ａにおける縦方向所定範囲に設けられた開口部１０８に対応して設けられており、開口部１０８に対応して例えば矩形板状に形成され且つ側壁１０１ａに沿って開口部１０８を略閉鎖する通常位置（図１１に実線で示す）とその通常位置よりも縦通路部１０１に対する外側に待避した検出位置（図１１に二点鎖線で示す）との間で下端側の回転軸１０９ａ廻りに揺動自在に支持された検出レバー１０９と、この検出レバー１０９を通常位置側に付勢するバネ部材１１０と、検出レバー１０９が検出位置にあることを検出する検出手段１１１とを備えている。
【００５３】
下皿１４内が遊技球で満杯になった後、後続の遊技球が下皿案内通路９２内にも下流側から徐々に遊技球が積み上がり、その上流端側が縦通路部１０１に達すると、その遊技球の重みによって検出レバー１０９が外向きに押され、検出手段１１１がＯＮになることにより下皿満杯状態が検出される（図１１）。下皿満杯検出スイッチ１０７がＯＮになっている間は、払い出し装置３６による払い出し動作が一時的に停止される。
【００５４】
なお、下皿満杯検出スイッチ１０７は、縦通路部１０１上にその側壁１０１ａに沿って設けられているため、スムーズに流下している遊技球からは影響を受けず、従って下皿１４が満杯でないときに誤ってＯＮになることはない。また、検出レバー１０９はその下端側の回転軸１０９ａ廻りに縦通路部１０１の内外方向に揺動可能となっているため、遊技球に押されて検出位置まで揺動したときには下流側に向けて斜め内向きの傾斜状となり、下皿１４内の遊技球が抜き取られて満杯状態が解消する際に遊技球をスムーズに下流側に案内することができる。
【００５５】
ここで、この下皿満杯検出スイッチ１０７よりも上流側における下皿案内通路９２及び球受け皿９１の遊技球容量は、払い出し案内通路５２における分岐口５３よりも下流側の遊技球容量に比べて略同じかそれよりも大となるように構成されている。
【００５６】
ファール球返却通路９３は、図６，図１０等に示すように、発射経路の下側に対応してたとえば下皿案内通路９２の後側に配置され、その上流端側のファール球流入口１１２は発射レール４４の発射方向下流側で略上向きに開口しており、下流端側は、図１６等に示すように下皿案内通路９２上の例えば前案内部１０３に対してファール球流入口１０５の上流側に接続されている。
【００５７】
ファール球返却通路９３は、図１０に示すように左右方向に蛇行して配置されると共に、その経路上の所定位置に、遊技球に対してその流下方向の通過のみを許容し、逆方向の通過を阻止する逆止弁１１３が設けられている。
【００５８】
以上のようなパチンコ機において、遊技者が発射ハンドル１５を操作すると、球送り手段６３の球送り駆動手段８９が作動して球送り部材８８が流出位置→受入位置→流出位置…の順序で揺動動作を開始し、それによって上皿１３の下流側の球送り通路７１内の遊技球が１個ずつ発射レール４４上の発射待機位置Ａに供給される。そして、それと同期して発射手段８の発射駆動手段４８が作動して打撃槌４７が発射ハンドル１５の操作量に応じた強さで発射方向への揺動を開始し、発射待機位置Ａ上の遊技球を発射レール４４に沿って順次打撃して発射させる。
【００５９】
発射された遊技球は、十分に勢いがある場合にはレール欠落部４９を飛び越えて遊技盤６側の発射案内通路２９内に入り、球戻り防止手段２９ａを通過して遊技領域６ａ内に進入する。一方、発射時の勢いが不十分で遊技領域６ａまで到達できなかったファール球は、発射案内通路２９を逆走してレール欠落部４９の下側のファール球流入口１１２又は上ファール球受け部５１に落下する。
【００６０】
ファール球流入口１１２内に落下したファール球は、ファール球返却通路９３内を蛇行しつつ低速で流下し、ファール球流入口１０５から下皿案内通路９２の前案内部１０３内に流入し、その前側の下皿連通口６７、下皿排出通路８３を経て下皿排出口８２から下皿１４に返却される。また、上ファール球受け部５１上に落下したファール球は、図１４に示すように前向きに案内されて球受け皿９１の上ファール球案内部９６に流入し、流入口９７から下皿案内通路９２の縦通路部１０１、傾斜通路部１０２、前案内部１０３、下皿連通口６７、下皿排出通路８３を経て下皿排出口８２から下皿１４に返却される。
【００６１】
例えば遊技球が普通入賞手段２７等の入賞手段に入賞することにより払い出し装置３６が作動し、この払い出し装置３６から払い出された遊技球は、図１２に示すように払い出し案内通路５２から上皿排出通路６８を経て上皿払い出し口６５から上皿１３に排出され、下流側の球送り通路７１側に案内される。
【００６２】
例えば大当たり等の利益状態の発生により払い出し装置３６から短期間に大量の遊技球が払い出され、上皿１３が満杯になって払い出し案内通路５２内にも分岐口５３まで遊技球が貯まった状態になると、その後に払い出された遊技球は、図１５に示すように上皿１３側ではなく分岐口５３から余剰球分岐通路５４側に流下する。そして、その余剰球は余剰球流出口５７から球受け皿９１の余剰球受け部９４上に落下し、流入口９７から下皿案内通路９２を経て下皿排出口８２から下皿１４に返却される。
【００６３】
このとき、流入口９７から下皿案内通路９２内に入った遊技球は、縦通路部１０１を経て傾斜通路部１０２内を勢いよく流下するが、その後に余剰球流入口１０４から前案内部１０３内に入って規制壁１０６に衝突して跳ね返り、図１６に示すように勢いを失った状態でゆっくり前向きに案内される。ところが、例えば規制壁１０６に衝突した直後の遊技球に後続の遊技球が衝突すると、衝突された遊技球はそのまま前側に勢いよくはじき飛ばされる可能性がある。
【００６４】
そこで本実施形態のパチンコ機では、規制壁１０６が、その前側の下皿排出口８２の左右の縁部よりも下皿排出口８２に対する左右方向外側、即ち下皿排出口８２の右縁部よりも右側にずれた位置に配置されており、規制壁１０６の前側に下皿排出口８２の右壁部８２ａが張り出した状態となっているため、規制壁１０６に衝突した直後に前向きにはじき飛ばされた遊技球はこの右壁部８２ａによって規制され、勢いよく下皿１４内に飛び出すことがない。
【００６５】
またこのような上皿満杯状態のときに下部開閉扉１０が開かれると（図１７（ａ）→  （ｂ））、上皿排出通路６８と払い出し案内通路５２とが前後に切り離されるため、払い出し案内通路５２内に貯まっていた遊技球は払い出し流出口５６から流れ出てしまう。しかしながら、下部開閉扉１０側の球受け皿９１には、上皿排出通路６８の下側でその後端部の更に後方所定範囲までをカバーするように、上皿排出通路６８の後端位置よりも後側まで延設された残留球受け部９５が設けられているため、払い出し流出口５６から流れ出た遊技球はこの残留球受け部９５により捕捉されて下皿１４側に案内され、遊技機外にこぼれ落ちてしまうことはない。
【００６６】
上皿１３が満杯になった後もそのまま遊技球の払い出しが継続すると、何れ下皿１４も満杯となり、図１１に示すように下皿満杯検出スイッチ１０７がＯＮになって払い出しが一時的に停止される。この状態で下部開閉扉１０が開かれたとしても、下皿満杯検出スイッチ１０７よりも上流側の球受け皿９１には、払い出し案内通路５２内に貯まっている遊技球を全て収容可能な容量が確保されているため、払い出し流出口５６から流れ出た遊技球が球受け皿９１から溢れ出てしまう虞はない。
【００６７】
以上説明したように、本実施形態のパチンコ機は、払い出し案内通路５２上の所定の分岐位置で余剰球を分岐させるように構成され、その余剰球を下皿１４に案内する下皿案内通路９２と、下部開閉扉１０が開かれて上皿排出通路６８と払い出し案内通路５２とが前後に切り離されたときに払い出し案内通路５２から流出する遊技球を捕捉可能に設けられ且つその下流側が下皿案内通路９２に接続された残留球受け部９５とを下部開閉扉１０上に設けているため、上皿１３と下皿１４とが共に下部開閉扉１０上に設けられているにも拘わらず、上皿１３が満杯の状態で下部開閉扉１０を開いたときに内枠４側からの遊技球のこぼれ落ちを防止できる。
【００６８】
残留球受け部９５は、上皿排出通路６８の下側に配置され、上皿排出通路６８の後端位置よりも後側まで延設されているため、下部開閉扉１０を開き始めたときに払い出し案内通路５２内から流出してきた遊技球を余裕を持って捕捉することができる。
【００６９】
下皿案内通路９２の上流端側に設けられ且つ残留球受け部９５を有する球受け皿９１と、下皿案内通路９２上に設けられ且つそれよりも下流側が遊技球で満杯であることを検出する下皿満杯検出スイッチ１０７とを備え、下皿満杯検出スイッチ１０７よりも上流側における球受け皿９１の遊技球容量が、払い出し案内通路５２における分岐位置よりも下流側の遊技球容量と略同じかそれよりも大となるように構成されているため、上皿１３だけでなく下皿１４も満杯の状態で下部開閉扉１０が開かれたとしても、払い出し流出口５６から流れ出た遊技球が球受け皿９１から溢れ出てしまう虞はない。
【００７０】
払い出し案内通路５２上の分岐位置において払い出し案内通路５２から分岐する余剰球分岐通路５４を内枠４側に設け、下皿案内通路９２の上流端側に、下部開閉扉１０が閉じたときに余剰球分岐通路５４の下流端側が連通する余剰球受け部９４を設け、この余剰球受け部９４が、余剰球分岐通路５４との連通位置の後方まで延設されているため、例えば余剰球受け部９４内を遊技球が流下しているときに下部開閉扉１０が開かれた場合でも余剰球流出口５７から落下する遊技球を捕捉可能であり、余剰球のこぼれ落ちを防止できる。
【００７１】
またこの余剰球受け部９４を球受け皿９１上に設けているため、この余剰球受け部９４の容量も、下皿満杯の状態で下部開閉扉１０が開かれたときの余裕分として球受け皿９１の容量に含めることができる。
【００７２】
発射手段８により発射されたにも関わらず遊技領域６ａに到達することなく戻ってきたファール球のうちの少なくとも一部を下皿案内通路９２に案内するファール球案内部９６を備え、このファール球案内部９６を球受け皿９１上に設けているため、このファール球案内部９６の容量も、下皿満杯の状態で下部開閉扉１０が開かれたときの余裕分として球受け皿９１の容量に含めることができる。
【００７３】
以上、本発明の実施形態について詳述したが、本発明はこれらの実施形態に限定されるものではなく、本発明の趣旨を逸脱しない範囲で種々の変更が可能である。例えば、払い出し案内通路５２と上皿排出通路６８とは例えば上下に連通するように構成してもよい。この場合でも、実施形態で示したような残留球受け部９５により払い出し案内通路５２から流れ出た遊技球を捕捉できる。
【００７４】
実施形態では、余剰球受け部９４、残留球受け部９５、上ファール球案内部９６を一つの球受け皿９１として一体に設けたが、余剰球受け部９４、残留球受け部９５、上ファール球案内部９６のうちの少なくとも一つを球受け皿９１とは別に設けてもよい。また例えば上ファール球受け部５１を設けない場合には上ファール球案内部９６は省略可能である。
【００７５】
規制壁１０６に衝撃吸収部材、例えば低反発ウレタン、ゲル材、各種ゴム材、スポンジ材等を設けてもよい。
【００７６】
更に、実施形態では本発明をパチンコ機に適用した例を示したが、アレンジボール機等のその他の弾球遊技機はもちろん、メダルの代わりにパチンコ球を用いたスロットマシン等、遊技媒体として遊技球を用いる遊技機において同様に実施可能であることは言うまでもない。
【符号の説明】
【００７７】
４    内枠
６ａ  遊技領域
８    発射手段
１０    下部開閉扉（開閉扉）
１３    上皿
１４    下皿
３６    払い出し装置
５２    払い出し案内通路
５４    余剰球分岐通路
６８    上皿排出通路
９１    球受け皿
９２    下皿案内通路
９４    余剰球受け部
９５    残留球受け部
９６    上ファール球案内部（ファール球案内部）
１０７    下皿満杯検出スイッチ
【図１】
2010273705.tif 000003
【図２】
2010273705.tif 000004
【図３】
2010273705.tif 000005
【図４】
2010273705.tif 000006
【図５】
2010273705.tif 000007
【図６】
2010273705.tif 000008
【図７】
2010273705.tif 000009
【図８】
2010273705.tif 000010
【図９】
2010273705.tif 000011
【図１０】
2010273705.tif 000012
【図１１】
2010273705.tif 000013
【図１２】
2010273705.tif 000014
【図１３】
2010273705.tif 000015
【図１４】
2010273705.tif 000016
【図１５】
2010273705.tif 000017
【図１６】
2010273705.tif 000018
【図１７】
2010273705.tif 000019